(57)【要約】  【課題】回線接続が容易になり、結線作業がどの作業員によっても行うことができ、レイアウト変更時の配線換えが簡略化され、しかも品質が安定し、不具合がなくなる天井照明用配線構造を提供する。  【解決手段】  本発明の天井照明用配線接続構造は、複数の接続端子１５，１６を収納した複数のジョイントボックス２間を両端コネクタ付ケーブル２０で接続すると共に、個々の前記ジョイントボックスにスイッチ用コネクタ付ケーブル２１、照明用コネクタ付ケーブル２２及び分電盤用コネクタ付ケーブル２３を嵌合接続させる。  【選択図】     図７
2005038737.tif 000002
【特許請求の範囲】
【請求項１】
複数の接続端子を収納した複数のジョイントボックス間を両端コネクタ付ケーブルで接続すると共に、個々の前記ジョイントボックスにスイッチ用コネクタ付ケーブル、照明用コネクタ付ケーブル及び分電盤用コネクタ付ケーブルを嵌合接続させることを特徴とする天井照明用配線接続構造。
【請求項２】
前記スイッチ用コネクタ付ケーブル、前記照明用コネクタ付ケーブル及び前記分電盤用コネクタ付ケーブルのコネクタは、同一構造となっていることを特徴とする請求項１に記載の天井照明用配線接続構造。
【請求項３】
照明位置に合わせて天井内にジョントボックスを配置し、両端コネクタ付ケーブルで複数の前記ジョイントボックス間を接続し、個々の前記ジョイントボックスにスイッチ用コネクタ付ケーブル、照明用コネクタ付ケーブル及び分電盤用コネクタ付ケーブルを嵌合接続することを特徴とする天井照明用配線接続方法。
【発明の詳細な説明】
【技術分野】
【０００１】
本発明は、オフィス内のレイアウト変更等による天井照明装置、または天井照明スイッチ系統変更等において発生する配線換えに関する天井照明用配線接続構造及び配線接続方法である。
【背景技術】
【０００２】
図９に従来のケーブル接続方法の例を示す。従来、ケーブル１を接続する場合、ケーブル１のシース５及び絶縁体３を任意の長さで皮むきした後、導体４を圧着スリーブ６等にて結線接続する。圧着スリーブ６にて結線接続した部分を絶縁キャップ７、ビニールテープ、絶縁チューブ等にて絶縁をする。
【０００３】
図９においては、絶縁キャップ７を使用した例を示す。このようして接続されたケーブル接続部分をジョイントボックス２に収納するようになっている。
【０００４】
次に、天井の従来配線工法例を図１０を参照して説明する。この工法は、送り配線によって行われる。オフィスＯ内のレイアウト変更に伴って、天井照明位置の変更、又は天井照明スイッチ系統変更は、照明用配線（ケーブル１）を撤去し、その後、再び新しいケーブル１を付設する工程が必要になる。
【０００５】
また、他の配線システムとして、情報用機器を多段接続可能とするためのスイッチング機能を有する情報ジョイントボックスと、情報ジョイントボックス同士を接続するためのコネクタ付きの送り配線用ケーブルとを備えた配線システムがある（特許文献１参照）。この配線システムにおいては、情報系の配線方式を電力系と同じ送り方式として、配線工事の効率を向上させることを目的とするものである。
【０００６】
さらに、他の屋内配線方法として、電源ケーブルのゾーンプルボックスとの接続をハーネス接続とし、送り配線、負荷接続用の配線器具及び制御用スイッチをそれぞれ接続するものなどを各種のものをブロック化し、それら各ブロックを連結して一体化するものがある（特許文献２参照）。
【特許文献１】特開２０００−３１２４２０号公報（第２〜３頁、図１）
【特許文献２】特許第３００５０６９号公報（第２〜３頁、図１）
【発明の開示】
【発明が解決しようとする課題】
【０００７】
しかしながら、上述した従来の工法においては、ケーブル１のシース５、絶縁体３の皮むき作業があるために、作業時間がかかり、効率が低い作業となっている。また、結線作業を行うには、電気工事士等の資格が必要になり、作業者が制限されるという側面がある。
【０００８】
さらに、ケーブルの皮むき作業、結線接続作業のような個人差のでる作業があるために結線部分に不具合が発生する可能性がある。
【０００９】
また、室内のレイアウトを変更する場合、配線換えが必要となるが、配線換え時に既存配線の撤去、新規ケーブルの付設、結線作業が新たに発生し、工数が増大するといった問題があった。
【００１０】
本発明は、回線接続が容易になり、結線作業がどの作業員によっても行うことができ、レイアウト変更時の配線換えが簡略化され、しかも品質が安定し、不具合がなくなる天井照明用配線接続構造及び配線接続方法を提供することを目的とする。
【課題を解決するための手段】
【００１１】
本発明に係る上記課題は、複数の接続端子を収納した複数のジョイント間を両端コネクタ付ケーブルで接続すると共に、個々の前記ジョイントボックスにスイッチ用コネクタ付ケーブル、照明用コネクタ付ケーブル及び分電盤用コネクタ付ケーブルを嵌合接続させることを特徴とする天井照明用配線接続構造によって解決することができる。したがって、屋内配線におけるケーブル接続が容易化され、皮むき結線作業がなくなるために電気工事士の資格も不要になり、作業時間の短縮、作業コストの低減が可能になる。さらに、室内のレイアウトの変更時にそれに伴う配線換えも容易になる。
【００１２】
また、前記構成の天井照明用配線接続構造において、スイッチ用コネクタ付ケーブル、照明用コネクタ付ケーブル及び分電盤用コネクタ付ケーブルのコネクタは、同一構造となっていることが好ましい。したがって、ケーブルの線心の端子に取り付ける位置だけが異なるため、コネクタ部分をスイッチ用、照明用及び分電盤用として共通のものとして使用できるために部品点数が増大することがないので組立が容易となり、コストの削減が可能になる。
【００１３】
また、本発明に係る上記課題は、照明位置に合わせて天井内にジョントボックスを配置し、両端コネクタ付ケーブルで複数のジョイント間を両端コネクタ付ケーブルで接続し、個々の前記ジョイントボックスにスイッチ用コネクタ付ケーブル、照明用コネクタ付ケーブル及び分電盤用コネクタ付ケーブルを嵌合接続することを特徴とする天井照明用配線接続方法によって解決することができる。
【００１４】
したがって、コネクタを接続するだけで配線作業を行うことができ、作業能率が大幅に向上する。また、ジョントボックスが多数個配置されるためにスイッチの取付位置が限定されない。さらに、配線換えの必要性が発生したときにも、ジョイントボックス位置の変更、数カ所のジョイントボックス間のコネクタ付ケーブルの変更・取付け直し、スイッチ用コネクタ付ケーブル、照明用コネクタ付ケーブル及び分電盤用コネクタ付ケーブルの変更・取付け直しで対応できるようになるために、既存の照明用配線を撤去し、新しいケーブルを付設する必要がなくなり、作業時間の短縮と、作業効率の改善とが可能になる。
【発明の効果】
【００１５】
以上説明したように本発明の天井照明用配線接続構造によれば、複数の接続端子を収納した複数のジョイントボックス間を両端コネクタ付ケーブルで接続し、個々のジョイントボックスにスイッチ用コネクタ付ケーブル、照明用コネクタ付ケーブル及び分電盤用コネクタ付ケーブルを嵌合接続させる。したがって、屋内配線におけるケーブル接続がコネクタの接続によってのみ行うことができ、配線が容易化され、皮むき結線作業がなくなるために電気工事士の資格も不要になる。屋内のレイアウト変更に伴う配線方法の変更においても、作業時間の短縮、作業コストの低減が可能になる。
【００１６】
また、本発明の天井照明用配線接続方法によれば、照明位置に合わせて天井内にジョントボックスを配置し、両端コネクタ付ケーブルで複数のジョイントボックス間を接続し、個々の前記ジョイントボックスにスイッチ用コネクタ付ケーブル、照明用コネクタ付ケーブル及び分電盤用コネクタ付ケーブルを嵌合接続することを特徴とする。したがって、屋内配線におけるケーブル接続がコネクタの接続によってのみ行うことができ、皮むき結線作業がなくなるために電気工事士の資格も不要になる。屋内のレイアウト変更に伴う配線方法を変更する際、作業時間の短縮、作業コストの低減が可能になる。さらに、ジョイントボックスへのスイッチの取付け位置が限定されることがない。
【発明を実施するための最良の形態】
【００１７】
以下、本発明の天井照明用配線接続構造及び配線接続方法を図１〜図８に基づいて詳細に説明する。図１は本発明の天井照明用配線接続構造の一実施形態を示すジョイントボックスの斜視図、図２は本発明のジョイントボックス内に配置される接続端子の斜視図、図３は本発明のケーブルの斜視図、図４は本発明のコネクタ付ケーブルのコネクタ部分の拡大斜視図、図５は本発明のコネクタ付ケーブルのコネクタとジョイントボックスとの接続前の断面図、図６は本発明のコネクタ付ケーブルのコネクタとジョイントボックスとの接続後の断面図、図７は本発明の屋内照明接続例を示す図、図８は本発明の屋内照明接続の回路例を示す図である。
【００１８】
図１（Ａ）に示すように、３個口用のジョイントボックス２は、本体１０を有し、平面図で見てＴ字形であり、コネクタを受ける受け口１１，１２が両端に形成されている。また、本体１０の中心部にコネクタ受け口１１，１２と直角方向に設けられた第３のコネクタ受け口１３が形成されている。
【００１９】
図１（Ｂ）に示すように、４個口用のジョイントボックス２は、平面図で見てほぼ十字形をしており、第３のコネクタ受け口１３の反対側の側面に第４のコネクタ受け口１４が形成されている。
【００２０】
１つのジョイントボックス２には、４個口の場合、図３（Ａ）〜（Ｄ）に示した、両端コネクタ付ケーブル２０、スイッチ用コネクタ付ケーブル２１、照明用コネクタ付ケーブル２２、分電盤用コネクタ付ケーブル２３が接続される。３個口の場合には、両端コネクタ付ケーブル２０と、スイッチ用コネクタ付ケーブル２１、照明用コネクタ付ケーブル２２、及び分電盤用コネクタ付ケーブル２３の内の２個が接続される。これらのケーブルが接続されず、使用されない場合には、キャップ（図示せず）などでコネクタ受け口１１，１２，１３，１４の使用しない部分に蓋をして埃などが入らないようにする。
【００２１】
図２（Ａ），（Ｂ）に示すように、ジョイントボックス２の中には、３個口用の接続端子１５と４個口用の接続端子１６が収納されており、ジョントボックス２と一体成型されている。それぞれの端子は、端子部分１５ａ，１５ｂ，１５ｃ及び１６ａ，１６ｂ，１６ｃの端子を有する。
【００２２】
次に、上述した各種コネクタ付ケーブルを図３（Ａ）〜（Ｄ）に基づいて説明する。図３（Ａ）は両端コネクタ付ケーブル２０を示し、図３（Ｂ）はスイッチ用コネクタ付ケーブル２１を示し、図３（Ｃ）は照明用コネクタ付ケーブル２２、図３（Ｄ）は分電盤用コネクタ付ケーブル２３を示している。
【００２３】
図３（Ａ）に示すように、両端コネクタ付ケーブル２０は、３心のケーブルを使用し、両端のコネクタ３０，３０を接続した構造である。この両端コネクタ付ケーブル２０は、ジョイントボックス２の間に付設され、個々の両端コネクタ付ケーブル２０の長さは、付設し易いように、等しく比較的短い長さを有する。コネクタ３０内にはジョイントボックス２内の接続端子と接触する端子を収納している。
【００２４】
図３（Ｂ）〜（Ｄ）に示したスイッチ用コネクタ付ケーブル２１、照明用コネクタ付ケーブル２２、分電盤用コネクタ付ケーブル２３は、２心のケーブルを使用する。コネクタ３０，３１，３２，３３は、各々３つの絶縁電線接続口３４，３５，３６を有するが、実際に使用する絶縁電線接続口は、各々２カ所である。図３（Ａ）〜（Ｄ）に示すように、スイッチ用コネクタ付ケーブル２１がコネクタ３１の上部分３６と中心部分３５、照明用コネクタ付ケーブル２２がコネクタ３２の中心部分３５と下部分３４、分電盤用コネクタ付ケーブル２３がコネクタ３３の上部分３６と下部分３４に接続している。付設場所は、スイッチ用コネクタ付ケーブル２１が、スイッチ９とジョイントボックス２との間、照明用コネクタ付ケーブル２２が、照明８とジョイントボックス２との間、分電盤用コネクタ付ケーブル２３が分電盤１０ａとジョイントボックス２との間である。
【００２５】
図４に示すように、ケーブルの端部に接続されるコネクタ３０は、本体４０が略直方形に形成されたおり、その前面にジョントボックス２の受け口に嵌入される嵌入口４１，４２，４３が形成されている。また、その上部にコネクタ側の係止部４４（図５参照）と嵌合するようになっている係止片４５が、本体４０の上面から突出した側面４６の内側に一体的に形成されている。
【００２６】
図５に示すように、コネクタ付ケーブル２０のコネクタ３０とジョイントボックス２との接続前の状態において、ケーブルシース５１に被覆されたケーブル絶縁体５２の中のケーブル導体５３の端部がハウジング５４内に形成されたばね形状の端子５５に接続されている。コネクタ側の端子１５の受け口４１，４２，４２は、ジョイントボックス側の端子１５を受け入れ易いように、ジョイントボックス２側に向けて拡開するように形成される。
【００２７】
図６に示すように、端子５５とコネクタ側の端子１５とが嵌合した状態において、コネクタ３０に係止片４５が設けられており、ジョイントボックス２に各コネクタ３０の係止片４５を受ける係止部４４が設けられているために、嵌合時に係止片４５と係止部４４とが嵌合し、コネクタが抜けないように固定することができる。
【００２８】
次に、本発明の天井照明用配線接続方法を図７に基づいて説明する。照明８はオフィスの方向で縦方向に配置され、部材は４個口または３個口のジョイントボックス２を使用し、２系統のスイッチ回路がり、８個／系統の照明８の数を有するものとして説明する。
【００２９】
図７（Ａ）に示すように、本実施形態の配線接続方法は、先ず天井に設置する照明８の位置に合わせてジョイントボックス２を配置する。分電盤１０ａから直結される部位に４個口用ケーブルジョイントボックス２を配置する。その後、延長接続される線路間に３個口用ケーブルジョイントボックス２を配置する。
【００３０】
次に、両端コネクタ付ケーブル２０をジョイントボックス２の間に配置し、コネクタ３０とジョイントボックス２の受け口１１，１２，１３，１４とのいずれかを接続する。その後、照明用コネクタ付ケーブル２２を照明８とジョイントボックス２に接続する。次に、スイッチ用コネクタ付ケーブル２１とジョイントボックス２を接続する。最後に、分電盤用コネクタ付ケーブル２３とジョイントボックス２を接続する。これにより、図８に示すように、スイッチ９をＯＮ／ＯＦＦして照明に通電するようになっている。
【００３１】
次に、図７（Ａ）から図７（Ｂ）にレイアウトを変更する場合、先ずジョイントボックス２を変更後のレイアウトに合わせて位置を変更する。レイアウトの変更箇所に応じて両端コネクタ付ケーブル２０の配列を変更してジョイントボックス２に接続し直す。同様に、照明用コネクタ付ケーブル２２を照明８とジョイントボックス２に接続し直す。次に、スイッチ用コネクタ付ケーブル２１とジョイントボックス２を接続する。最後に、分電盤用コネクタ付ケーブル２３とジョイントボックス２を接続する。
【００３２】
このように、レイアウトの変更は、ジョイントボックス２の位置の変更、数カ所のジョイントボックス２間の両端コネクタ付ケーブル２０の変更・取付け直し、照明用コネクタ付ケーブル２２、スイッチ用コネクタ付ケーブル２１、最後に分電盤用コネクタ付ケーブル２３の変更取付直しで対応可能になる。したがって、電気配線の変更に関する作業時間が短縮され、作業効率が大幅に向上する。
【図面の簡単な説明】
【００３３】
【図１】本発明のジョイントボックスの斜視図であり、図１（Ａ）は３個口用のジョイントボックス、図１（Ｂ）は４個口用のジョイントボックスの斜視図である。
【図２】本発明のジョイントボックス内に配置される接続端子の斜視図であり、図２（Ａ）は３個口用の接続端子、図２（Ｂ）は４個口用の接続端子の斜視図である。
【図３】本発明のケーブルの斜視図であり、図３（Ａ）は両端コネクタ付ケーブル、図３（Ｂ）はスイッチ用コネクタ付ケーブル、図３（Ｃ）は照明用コネクタ付ケーブル、図３（Ｄ）は分電盤用コネクタ付ケーブルの斜視図である。
【図４】本発明のコネクタ付ケーブルのコネクタ部分の拡大斜視図である。
【図５】本発明のコネクタ付ケーブルのコネクタとジョイントボックスとの接続前の断面図である。
【図６】本発明のコネクタ付ケーブルのコネクタとジョイントボックスとの接続後の断面図である。
【図７】本発明の屋内照明接続例を示す図であり、図７（Ａ）は屋内照明配線接続の１つの実施例を示す図であり、図７（Ｂ）はレイアウト変更後の屋内配線接続を示す図である。
【図８】本発明の屋内照明接続の回路例を示す図である。
【図９】従来のケーブル接続例を示す図である。
【図１０】従来の屋内照明接続例を示す図である。
【符号の説明】
【００３４】
１  ケーブル
２  ジョイントボックス
３  絶縁体
４  導体
５  シース
６  圧着スリーブ
１０ａ  配電盤
１０  ジョイントボックス本体
１１，１２，１３，１４  受け口
２０  両端コネクタ付ケーブル
３０  コネクタ
【図１】
2005038737.tif 000003
【図２】
2005038737.tif 000004
【図３】
2005038737.tif 000005
【図４】
2005038737.tif 000006
【図５】
2005038737.tif 000007
【図６】
2005038737.tif 000008
【図７】
2005038737.tif 000009
【図８】
2005038737.tif 000010
【図９】
2005038737.tif 000011
【図１０】
2005038737.tif 000012